(57)【要約】      （修正有）【課題】鑑賞することで、心理的な圧力への緩和効果を達成し、水中で本物のクラゲの浮き流れを真似することができるクラゲ模擬玩具を提供する。【解決手段】更に、外表面と内腔を囲む内表面とを有する傘状体を含み、本体は、傘状体の内腔に収容される。【選択図】図１
0003160680.tif 000002
【実用新案登録請求の範囲】
【請求項１】
本体と、
先端がそれぞれ本体の一端に接続される複数の軟質な長尺形状の触手と
を含むことを特徴とする
クラゲ模擬玩具。
【請求項２】
外表面と内腔を囲んでいる内表面とを有する傘状体を更に含み、
前記本体は、傘状体の内腔に収容され、その先端が傘状体の内表面の中央位置に接続され、
各触手は、先端がそれぞれ本体の底端に接続される
ことを特徴とする請求項１に記載のクラゲ模擬玩具。
【請求項３】
前記本体の先端には、第１の接続部が設けられ、
前記傘状体の内表面の中央位置には、第２の接続部が設けられ、
前記第１の接続部が前記第２の接続部に接続される
ことを特徴とする請求項２に記載のクラゲ模擬玩具。
【請求項４】
前記第１の接続部は、複数の突出柱であり、
前記第２の接続部は、各突出柱に対応して嵌接される複数のスリーブである
ことを特徴とする請求項３に記載のクラゲ模擬玩具。
【請求項５】
前記本体は、上柱体と下柱体とを有し、
前記触手は、先端がそれぞれ下柱体の底端の周縁に接続される
ことを特徴とする請求項２、３又は４に記載のクラゲ模擬玩具。
【請求項６】
前記本体は、上柱体と、下柱体と、前記下柱体に嵌接される被覆体とを有し、
前記触手は、先端がそれぞれ被覆体の底端の周縁に接続される
ことを特徴とする請求項２、３又は４に記載のクラゲ模擬玩具。
【考案の詳細な説明】
【技術分野】
【０００１】
本考案は、クラゲ模擬玩具に関し、特に、複数の簡単な部材からなり、水における本物のクラゲの浮き流れを真似することができるものに関する。
【背景技術】
【０００２】
ビジネス社会の速やかな発展に従い、人々は時代の脈動に追いかけるように、マイペースを速めざるを得ないため、かけられた心理的な圧力が大きくなっていく。心理的な圧力を和らげるために、坊間には様々な娯楽製品が適用される。その内、アクアリウムに水族魚類又はクラゲを飼養してその泳ぎ回りを観賞することによって、人々の気持ちをリラックスさせ、疲労の消去効果を達成することができる。
【考案の概要】
【考案が解決しようとする課題】
【０００３】
しかしながら、クラゲの飼養はかなり面倒であり、飼料や海水の入手や水質・塩度の制御について、普通の水族魚類のように簡単ではない。従って、普通の人にとって、クラゲ飼いは時間がかなりかかるだけでなく、飼養中クラゲの死亡も起こし易い。なお、人々の飼養要求を満たすために、所定の種類のクラゲが多量に捕らえられ、環境に不良な影響を与えてしまう。
【０００４】
これを鑑みて、前記欠点を改善することによって、クラゲ模擬玩具により心理的な圧力を緩和させる効果を達成し、且つ環境の被害を回避することができるために、本考案者は長年の経験に基づいて鋭意に研究開発を行って、ついに本考案の完成に至った。
【０００５】
本考案は主に、複数の簡単な部材からなり、水での浮き流れができるクラゲ模擬玩具構造であって、本物のクラゲに取って代わり、飼養の手間を掛けなくても、観賞によって心理的な圧力への緩和効果を達成し、且つ環境被害を回避することができるクラゲ模擬玩具構造を提供することを目的とする。
【課題を解決するための手段】
【０００６】
前記した目的を達成するために、本考案によるクラゲ模擬玩具は、本体と、先端がそれぞれ本体の一端に接続される複数の軟質な長尺形状の触手とを含む。
【０００７】
実施の場合、本考案は、外表面と内腔を囲んでいる内表面とを有する傘状体を更に含み、前記本体は、傘状体の内腔に収容され、その先端が前記傘状体の内表面の中央位置に接続され、前記軟質な長尺形状の触手は先端がそれぞれ本体の底端に接続される。
【０００８】
実施の場合、前記本体の先端には、第１の接続部が設けられ、傘状体の内表面の中央位置には、第２の接続部が設けられ、且つ、第１の接続部が第２の接続部に接続される。
【０００９】
実施の場合、前記第１の接続部は、複数の突出柱であり、第２の接続部は各突出柱に対応して嵌接される複数のスリーブである。
【００１０】
実施の場合、前記本体は、上柱体と下柱体を有し、それらの触手は、先端がそれぞれ下柱体の底端の周縁に接続される。
【００１１】
実施の場合、前記本体は、上柱体、下柱体及び被覆体を有してもよく、被覆体は、下柱体に嵌接され、それらの触手は、先端がそれぞれ被覆体の底端の周縁に接続される。
【図面の簡単な説明】
【００１２】
【図１】本考案による第１の実施形態の外観斜視図である。
【図２】本考案による第１の実施形態の使用状態図である。
【図３】本考案による第２の実施形態の素子分解図である。
【図４】本考案による第２の実施形態の組合断面図である。
【図５】本考案による第２の実施形態の使用状態図である。
【図６】本考案による第３の実施形態の組合断面図である。
【考案を実施するための形態】
【００１３】
本考案をさらに明らかにするために、下記のように詳細に説明する。
【００１４】
図１及び図２を参照すると、本考案の第１の実施形態では、クラゲ模擬玩具１は、本体３と、複数の軟質な長尺形状の触手４とを含むものであり、前記本体３は、頸端が円形状となり、前記触手４は、プラスチック製の軟質な長尺物であるが、ポリウレタン（ＰＵ）のような材質でもよく、各触手４は、先端がそれぞれ本体３の先端の周縁に接続され、これによってクラゲに真似る構造とし、本物のクラゲに取って代わり、水が入ったアクアリウム９に浮き流れることができる（図２に示すように）。
【００１５】
図３及び図４を参照すると、本考案の第２の実施形態では、クラゲ模擬玩具１は、傘状体２、本体３及び複数の長尺形状の触手４を含むものである。
【００１６】
前記傘状体２は、プラスチックの射出成形によるフィルムであり、その断面が逆Ｕ字形状となり、すなわち、傘状体２の先端に円弧状のフィルム２１を形成し、円弧状のフィルム２１の周縁から下へ延びて、開口２２を有する、底端の周縁に複数の切欠き２３１が形成されるペチコート２３を形成した。また、前記傘状体２は外表面２４及び内表面２５を有し、この内表面２５と開口２２との間に内腔２６を囲んでおり、前記傘状体２の内表面２５の中央位置、すなわち円弧状のフィルム２１の内側の中央位置に、第２の接続部２８として、スペーサーのあるスリーブ２７が四つ設けられる。
【００１７】
前記本体３は、傘状体２の内腔２６に収容されており、テーパー状の上柱体３１及び下柱体３２を有し、前記上柱体３１は、底面が下柱体３２の径よりも大きい径を有し、また、その先端が第１の接続部３４として、且つ各スリーブ２７に対応するスペーサーのある突出柱３３が四つ設けられる。実施の場合、前記本体３は他の立体形状であってもよく、スリーブ２７及び突出柱３３は、数が制限されていない。
【００１８】
これによって、傘状体２の各スリーブ２７が上柱体３１の先端の各突出柱３３に対応して嵌接され、長尺形状の各触手４の先端がそれぞれ下柱体３２の底端の周縁に接続された場合、同様にクラゲのような構成として、水が入ったアクアリウム９に浮き流れることができる（図５に示すように）。実施の場合、前記傘状体３の各スリーブ２７は、射出成形によるパッケージによって直接に各突出柱３３に対応して嵌接するように成形されることによって、同様に傘状体２と本体３を結合することができる。
【００１９】
図６を参照すると、本考案の第３の実施形態では、クラゲ模擬玩具１は、前記本体３が、各触手４と一体成形され、射出成形によるパッケージによって直接に下柱体３２の周縁を被覆する被覆体３５を更に有するという点について、第２の実施形態と異なる。実施の場合、その被覆体３５が下柱体３２の周縁に嵌接されてもよく、そして、各触手４の先端をそれぞれ被覆体３５の底端の周縁に接続することによって、同様に本体３と各触手４を結合することができる。
【００２０】
従って、本考案は、以下のような
１、本物のクラゲに取って代わることができるため、観賞の価値を有し、心理的な圧力の緩和効果を達成するだけでなく、クラゲ飼いの手間があまり掛からなくてよく、
２、考案の構造は簡単で壊されにくいので、本物のクラゲを繰り返して買う費用を節約し、また環境被害をも回避することができる
メリットを有する。
【００２１】
総じて言えば、以上の記載した内容によれば、本考案は、心理的な圧力の緩和効果を達成できるだけでなく、本物のクラゲを繰り返して買う費用を節約し、また環境被害をも回避することができるクラゲ模擬玩具を提供することによって、所望の目的を達成することができ、産業上の利用価値があるので、法によって実用新案を出願する。
【００２２】
以上に述べたものは、本考案の具体的な実施形態及び利用された技術的な手段であり、本文の掲載や教示に基づいて多くの変更や修正を誘導することができ、本考案の構想により等価的に変更すれば、それに従う作用が明細書及び図面に含まれる実質精神から逸脱しない場合、本考案の技術範囲に属するものと視されるべきであることは、先ず陳明を行う。
【符号の説明】
【００２３】
１…クラゲ模擬玩具、２…傘状体、２１…円弧状のフィルム、２２…開口、２３…ペチコート、２３１…切欠き、２４…外表面、２５…内表面、２６…内腔、２７…スリーブ、２８…第２の接続部、３…本体、３１…上柱体、３２…下柱体、３３…突出柱、３４…第１の接続部、３５…被覆体、４…触手、９…アクアリウム
【図１】
0003160680.tif 000003
【図２】
0003160680.tif 000004
【図３】
0003160680.tif 000005
【図４】
0003160680.tif 000006
【図５】
0003160680.tif 000007
【図６】
0003160680.tif 000008